【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
第１のコンピューティングデバイスが、前記第１のコンピューティングデバイスに記憶されている複数のマルチメディアオブジェクトからなるマルチメディアオブジェクトのセットにアクセスを行う工程であって、該マルチメディアオブジェクトのセットは前記第１のコンピューティングデバイスのユーザによって選択されている、前記工程と、
前記第１のコンピューティングデバイスが、前記マルチメディアオブジェクトのセットの第２のコンピューティングデバイスへのアップロードを開始する工程と、
前記マルチメディアオブジェクトのセットの前記第２のコンピューティングデバイスへのアップロード中、前記第１のコンピューティングデバイスが、同時に前記ユーザによる前記マルチメディアオブジェクトのセットの一部の選択を受け取る工程と、
前記マルチメディアオブジェクトのセットの前記第２のコンピューティングデバイスへのアップロード中、前記第１のコンピューティングデバイスが、同時に前記ユーザによって入力されるメタデータを受け取り、前記マルチメディアオブジェクトのセットの前記一部のうちの１つ以上のマルチメディアオブジェクトにメタデータの少なくとも一部を関連付ける工程と、からなる方法。
【請求項２】
前記マルチメディアオブジェクトのセットが前記第２のコンピューティングデバイスに対しアップロードされた後、前記第１のコンピューティングデバイスが、前記マルチメディアオブジェクトのうちの１つ以上に関連付けられた前記メタデータを前記第２のコンピューティングデバイスに対しアップロードする工程をさらに備える、請求項１に記載の方法。
【請求項３】
前記マルチメディアオブジェクトのセットの前記第２のコンピューティングデバイスへのアップロード中、前記第１のコンピューティングデバイスが、前記第１のコンピューティングデバイスに記憶されているデータに少なくとも部分的に基づいて、前記マルチメディアオブジェクトのうちの１つ以上に関連付けられた前記メタデータの少なくとも一部を自動的に決定する工程をさらに備える、請求項１に記載の方法。
【請求項４】
前記マルチメディアオブジェクトのセットの前記第２のコンピューティングデバイスへのアップロード中、前記第１のコンピューティングデバイスが、前記マルチメディアオブ
ジェクトのうちの１つ以上に関連付けられた前記メタデータの少なくとも一部を前記ユーザから受け取るためのユーザインターフェースを提供する工程をさらに備える、請求項１に記載の方法。
【請求項５】
前記第１のコンピューティングデバイスが、前記マルチメディアオブジェクトのセットをアップロードするために第２のコンピューティングデバイスとの接続を確立する工程をさらに備える、請求項１に記載の方法。
【請求項６】
前記マルチメディアオブジェクトのセットの前記第２のコンピューティングデバイスへのアップロード中、前記マルチメディアオブジェクトのセットのアップロードによって前記接続の帯域幅が消費される、請求項５に記載の方法。
【請求項７】
前記第１のコンピューティングデバイスはモバイルデバイスである、請求項１に記載の方法。
【請求項８】
前記マルチメディアオブジェクトのセットがデジタル画像のセットである、請求項１に記載の方法。
【請求項９】
第１のシステムであって、
１つ以上のプロセッサと、
該１つ以上のプロセッサに結合され、該プロセッサによって実行可能な命令を含むメモリと、を備え、前記プロセッサは前記命令の実行時に、
前記第１のシステムに記憶されている複数のマルチメディアオブジェクトからなるマルチメディアオブジェクトのセットにアクセスを行う工程であって、該マルチメディアオブジェクトのセットは前記第１のシステムのユーザによって選択されている、前記工程と、
前記マルチメディアオブジェクトのセットの第２のシステムへのアップロードを開始する工程と、
前記マルチメディアオブジェクトのセットの前記第２のシステムへのアップロード中、同時に前記ユーザによる前記マルチメディアオブジェクトのセットの一部の選択を受け取る工程と、
前記マルチメディアオブジェクトのセットの前記第２のシステムへのアップロード中、同時に前記ユーザによって入力されるメタデータを受け取り、前記マルチメディアオブジェクトのセットの前記一部のうちの１つ以上のマルチメディアオブジェクトにメタデータの少なくとも一部を関連付ける工程と、を実行するように構成されている、第１のシステム。
【請求項１０】
前記１つ以上のプロセッサは前記命令の実行時に、
前記マルチメディアオブジェクトのセットが前記第２のシステムに対しアップロードされた後、前記マルチメディアオブジェクトのうちの１つ以上に関連付けられた前記メタデータを前記第２のシステムに対しアップロードする工程を実行するようにさらに構成されている、請求項９に記載の第１のシステム。
【請求項１１】
前記１つ以上のプロセッサは前記命令の実行時に、
前記マルチメディアオブジェクトのセットの前記第２のシステムへのアップロード中、前記第１のシステムに記憶されているデータに少なくとも部分的に基づいて、前記マルチメディアオブジェクトのうちの１つ以上に関連付けられた前記メタデータの少なくとも一部を自動的に決定する工程を実行するようにさらに構成されている、請求項９に記載の第１のシステム。
【請求項１２】
前記１つ以上のプロセッサは前記命令の実行時に、
前記マルチメディアオブジェクトのセットの前記第２のシステムへのアップロード中、前記マルチメディアオブジェクトのうちの１つ以上に関連付けられた前記メタデータの少なくとも一部を前記ユーザから受け取るためのユーザインターフェースを提供する工程を実行するようにさらに構成されている、請求項９に記載の第１のシステム。
【請求項１３】
前記１つ以上のプロセッサは前記命令の実行時に、
前記マルチメディアオブジェクトのセットをアップロードするために第２のシステムとの接続を確立する工程を実行するようにさらに構成されており、
前記マルチメディアオブジェクトのセットの前記第２のシステムへのアップロード中、前記マルチメディアオブジェクトのセットのアップロードによって前記接続の帯域幅が消費される、請求項９に記載の第１のシステム。
【請求項１４】
前記第１のシステムはモバイルデバイスである、請求項９に記載の第１のシステム。
【請求項１５】
ソフトウェアを具現化する１つ以上の非一時的なコンピュータ可読記憶媒体であって、該ソフトウェアは、第１のシステムに関連する１つ以上のプロセッサによる実行時に、
前記第１のシステムに記憶されている複数のマルチメディアオブジェクトからなるマルチメディアオブジェクトのセットにアクセスを行う工程であって、該マルチメディアオブジェクトのセットは前記第１のシステムのユーザによって選択されている、前記工程と、
前記マルチメディアオブジェクトのセットの第２のシステムへのアップロードを開始する工程と、
前記マルチメディアオブジェクトのセットの前記第２のシステムへのアップロード中、同時に前記ユーザによる前記マルチメディアオブジェクトのセットの一部の選択を受け取る工程と、
前記マルチメディアオブジェクトのセットの前記第２のシステムへのアップロード中、同時に前記ユーザによって入力されるメタデータを受け取り、前記マルチメディアオブジェクトのセットの前記一部のうちの１つ以上のマルチメディアオブジェクトにメタデータの少なくとも一部を関連付ける工程と、を実行するように構成されている、媒体。
【請求項１６】
前記ソフトウェアは、前記第１のシステムに関連する前記１つ以上のプロセッサによる実行時に、
前記マルチメディアオブジェクトのセットが前記第２のシステムに対しアップロードされた後、前記マルチメディアオブジェクトのうちの１つ以上に関連付けられた前記メタデータを前記第２のシステムに対しアップロードする工程を実行するようにさらに構成されている、請求項１５に記載の媒体。
【請求項１７】
前記ソフトウェアは、前記第１のシステムに関連する前記１つ以上のプロセッサによる実行時に、
前記マルチメディアオブジェクトのセットの前記第２のシステムへのアップロード中、前記第１のシステムに記憶されているデータに少なくとも部分的に基づいて、前記マルチメディアオブジェクトのうちの１つ以上に関連付けられた前記メタデータの少なくとも一部を自動的に決定する工程を実行するようにさらに構成されている、請求項１５に記載の媒体。
【請求項１８】
前記ソフトウェアは、前記第１のシステムに関連する前記１つ以上のプロセッサによる実行時に、
前記マルチメディアオブジェクトのセットの前記第２のシステムへのアップロード中、前記マルチメディアオブジェクトのうちの１つ以上に関連付けられた前記メタデータの少なくとも一部を前記ユーザから受け取るためのユーザインターフェースを提供する工程を実行するようにさらに構成されている、請求項１５に記載の媒体。
【請求項１９】
前記ソフトウェアは、前記第１のシステムに関連する前記１つ以上のプロセッサによる実行時に、
前記マルチメディアオブジェクトのセットをアップロードするために第２のシステムとの接続を確立する工程を実行するようにさらに構成されており、
前記マルチメディアオブジェクトのセットの前記第２のシステムへのアップロード中、前記マルチメディアオブジェクトのセットのアップロードによって前記接続の帯域幅が消費される、請求項１５に記載の媒体。
【請求項２０】
前記第１のシステムはモバイルデバイスである、請求項１５に記載の媒体。